【事件の表示】
　平成　３年特許願第２０１９５４号「ゴルフカート位置表示システム」拒絶査定に対する審判事件［平成　５年　２月２６日出願公開、特開平　５−　４６０７９］について、次のとおり審決する。
【結　論】
　本件審判の請求は、成り立たない。
【理　由】
１．手続の経緯・本願発明
　本願は、平成３年８月１２日に出願されたものであって、その請求項１ないし３に係る発明は、平成１３年５月１５日付け手続補正書によって補正された明細書及び図面の記載からみて、本願の特許請求の範囲の請求項１ないし３に記載されたとおりのものであると認められるところ、その請求項１に記載された発明（以下、「本願発明」という。）は、次のとおりである。
「【請求項１】　ゴルフ場内を走行する複数のゴルフカートの現在地を検出して前記ゴルフカートの各々の現在地を示す現在地データを生成する検出手段と、
　前記複数のゴルフカートの各々に対応した軌跡データとして前記現在地データをメモリに順次書き込む書込手段と、
　前記メモリから前記軌跡データを順次読み出してその読み出した軌跡データに応じて前記ゴルフ場の地図上に前記ゴルフカートの各々の移動軌跡を重畳した映像を共通の表示部に表示する表示手段と、を有することを特徴とするゴルフカート位置表示システム。」
　
２．引用例
　これに対して、原査定の拒絶の理由に引用された特開昭６３−２３６１０７号公報（以下、「引用例１」という。）、特開昭６４−９３８５号公報（以下、「引用例２」という。）、特開平３−３９７８１号公報（以下、「引用例３」という。）には、それぞれ以下のような事項等が記載されている。
　
［引用例１］
ａ．「ゴルフカートであって、・・・ゴルフカートの現在位置を検出する位置検出装置と、からなり、」（第１頁左下欄７〜１１行）
ｂ．「実際のゴルフカートの走行跡を映し出すブラウン管を有する・・・ゴルフカート。」（第１頁左下欄１７〜２０行）
ｃ．「カバー１の上部には、第２図にも示されているように、・・・表示器としてのブラウン管９が配設されている。・・・前記表示器９の映像面には、選択的に映し出せる走行マップ入力１２が映し出されるようになっている。これら走行マップ入力１２のマップ情報は、後述するコンピュータに記憶されている。すなわち、この走行マップ入力１２は、ゴルフ場の各コースのレイアウト１３・・・無人ゴルフカートが実際に走行した走行跡２０が順次点線で表示されるようになっている。」（第３頁左上欄１３行〜右上欄１４行）
ｄ．「ゴルフカートの走行距離、走行進路等のモニターおよび演算によって、時々刻々の位置が求められるとともに、ゴルフカートの走行跡２０が前記ブラウン管９に表示される。」（第３頁左下欄下から２行〜右下欄３行）
が記載され、
　これらの記載を含む引用例１には、下記の発明が記載されていると認められる。
「ゴルフカートの現在位置を検出する位置検出装置と、ゴルフ場の各コースのレイアウト１３に、ゴルフカートが実際に走行した走行跡２０が順次点線で表示されるようになっている表示器９を有するゴルフカート。」（以下、「引用例１発明」という。）
　
［引用例２］
ａ．「自車の現在位置を検出する位置検出手段と、・・・現在位置を示す情報・・・を送信する送信手段と、他車より送信される該他車についての現在位置情報・・・を受信する受信手段と、上記自車および他車についての位置情報・・・を表示する手段とを各車両に設けるようにする。」（第２頁右上欄１１行〜１７行）
ｂ．「車上装置２００は、・・・測位用受信部２１０，制御部２２０，作業情報入力部２３０，送信部２４０，受信部２５０，記憶部２６０および表示部２７０から構成されている。測位用受信部２１０の車載局２１１では、・・・車両の現在位置（ｘ，ｙ）が演算される。・・・受信部２５０は、他車からの送信電波をアンテナ２５１を介して受信する受信器２５２と、・・・が備えられている。・・・記憶装置２６０には、・・・区分地図データが複数格納されている。」（第３頁左上欄８行〜左下欄４行）
ｃ．「制御部２２０では、・・・自車の現在位置が読出され・・・送信データバッファ２４１に送信データとして書き込まれる・・・送信部２４０では、上記送信データバッファ２４１に書き込まれた内容がそれまでの同バッファの記憶内容と相違しているか否かが判断される・・・ＹＥＳである場合には、該バッファの内容が・・・送信器２４３によって送信される・・・受信部２５０では受信器２５２に他車からの電波信号の入力があったか否かが判断されて・・・ＹＥＳである場合には、・・・この受信データが、受信データバッファ２５４に書き込まれる・・・受信データバッファ２５４に書き込まれた内容が読み出されまた・・・読み出された受信データが記憶部２６０に自車についての各情報とともに書き込まれる。・・・表示部２７０には常に自車の位置が存在する区分地図が表示される。・・・記憶部２６０より自車および他車の現在位置データ・・・が読み出され、これにより表示部２７０に表示されている地図上にそれらのデータの内容が表示される。」（第３頁左下欄１６行〜第４頁右上欄１１行）
　
［引用例３］
ａ．「ＣＰＵ７は先ず、距離センサ３の出力データに基づいて車両が一定距離・・・だけ走行したか否かを判断し・・・、一定距離だけ走行していれば、車両の現在地認識によって求められた現在地の地点座標及びその座標を含む地図番号等の地点データ群を、ＲＡＭ９内のリングバッファの書込みアドレスポインタで指定されたアドレス領域に格納し・・・、続いて書込みアドレスポインタを１データ群分だけ進める・・・。この処理が車両の一定距離・・・走行毎に繰り返されることにより、リングバッファにはその記憶容量に応じた数の地点データ群が走行軌跡データとして順次記憶されることになり、」（第３頁右下欄１１行〜第４頁左上欄４行）
ｂ．「次に、入力装置２１におけるキー入力によって走行軌跡の表示指令がなされた際にＣＰＵ７によって実行される走行軌跡の表示の処理手順について第３図のフローチャートにしたがって説明する。ＣＰＵ７は入力装置２１からのキー入力指令に応答して先ず、読出しアドレスポインタを走行軌跡の例えば始点の地点データ群が格納されているアドレスにセットし・・・、その地点データ群をリングバッファから読み出し・・・しかる後読出しアドレスポインタを１データ群分だけ進める・・・以上の処理の繰返しにより、リングバッファから順に地点データ群が読み出され、ディスプレイ１７上には・・・走行軌跡が表示されることになる。」（第４頁左上欄１３行〜左下欄９行）
　
３．対比・判断
　本願発明と引用例１発明とを対比する。
　引用例１発明の「ゴルフ場の各コースのレイアウト」、「走行跡」、及び「表示器」は、それぞれ本願発明の「ゴルフ場の地図」、「移動軌跡」、及び「表示部」に相当する。
　引用例１発明についても、ゴルフカートの位置表示に関する技術であるから、ゴルフカート位置表示システムに関する発明である。
　引用例１発明の「ゴルフカート」が、ゴルフ場内を走行するゴルフカートであることは当然であるから、引用例１発明の「ゴルフカート」は、ゴルフ場内を走行するゴルフカートであるという点で、本願発明の「ゴルフカート」に対応する。
　引用例１発明の「現在位置を検出する位置検出装置」は、走行跡を表示するために位置を検出するものであるから、現在地を検出して前記ゴルフカートの現在地を示す現在地データを生成するという点で、本願発明の「検出手段」に対応する。
　引用例１発明の「ゴルフ場の各コースのレイアウト１３に、ゴルフカートが実際に走行した走行跡２０が順次点線で表示されるようになっている表示器」は、引用例１発明の「ゴルフ場の各コースのレイアウト」、「走行跡」、及び「表示器」が、それぞれ本願発明の「ゴルフ場の地図」、「移動軌跡」、及び「表示部」に相当することを鑑みると、ゴルフ場の地図上にゴルフカートの移動軌跡を重畳した映像を表示部に表示するという点で、本願発明の「表示手段」に対応する。
　したがって、両者は、
「ゴルフ場内を走行するゴルフカートの現在地を検出して前記ゴルフカートの現在地を示す現在地データを生成する検出手段と、
　前記ゴルフ場の地図上に前記ゴルフカートの移動軌跡を重畳した映像を表示部に表示する表示手段と、を有することを特徴とするゴルフカート位置表示システム。」
である点で一致し、次の２点で相違する。
　
［相違点１］
　本願発明は、複数のゴルフカートの現在地を検出して前記ゴルフカートの各々の現在地を示す現在地データを生成するのに対し、引用例１発明は、ゴルフカートの現在地を検出して前記ゴルフカートの現在地を示す現在地データを生成するものであるが、複数のゴルフカートではない点。
　
［相違点２］
　本願発明は、複数のゴルフカートの各々に対応した軌跡データとして現在地データをメモリに順次書き込む書込手段と、前記メモリから前記軌跡データを順次読み出してその読み出した軌跡データに応じてゴルフ場の地図上にゴルフカートの各々の移動軌跡を重畳した映像を共通の表示部に表示するのに対し、引用例１発明は、ゴルフ場の地図上にゴルフカートの移動軌跡を重畳した映像を表示部に表示するものであるが、引用例１には、「ゴルフカートの走行距離、走行進路等のモニターおよび演算によって時々刻々の位置が求められるとともに、ゴルフカートの走行跡２０が前記ブラウン管９に表示される。」と記載されているだけであり、移動軌跡を重畳するためにどのような方法を採用しているのかが明確でないし、ましてや、軌跡データが複数のゴルフカートの各々に対応したものでもないし、ゴルフカートの各々の移動軌跡、すなわち、複数のゴルフカートの移動軌跡を重畳した映像を共通の表示部に表示するものでもない点。
　
　そこで、上記相違点について検討する。
　
　相違点１について
　引用例２には、自車の現在位置を検出し、現在位置を示す情報を送信し、他車より送信される該他車についての現在位置を受信し、上記自車および他車についての位置情報を表示することが記載されていると認められる。
　すなわち、複数の車両の現在位置を検出し、複数の車両の位置情報を表示することは、引用例２に記載されているように広く知られている技術である。
　そうすると、引用例１発明において、引用例２に記載されている技術を適用し、複数のゴルフカートの現在地を検出して前記ゴルフカートの各々の現在地を示す現在地データを生成するようにした程度のことは容易に想到しうる程度のものである。
　
　相違点２について
　引用例３には、車両の現在地認識によって求められた現在地の地点座標等の地点データ群を、ＲＡＭ９内に格納し、この処理が車両の一定距離走行毎に繰り返されることにより、リングバッファには地点データ群が走行軌跡データとして順次記憶され、走行軌跡の表示指令がなされた際に、リングバッファから順に地点データ群が読み出され、ディスプレイ１７上には走行軌跡が表示されることが記載されていると認められる。
　すなわち、軌跡データとして現在地の地点座標をリングバッファに順次記憶し、リングバッファから順に読み出されてディスプレイ上に走行軌跡を表示することは、引用例３に記載されているように広く知られている技術である。
　そうすると、引用例１発明において、ゴルフカートの軌跡データとして現在地データをメモリに順次書き込む書込手段を有し、前記メモリから前記軌跡データを順次読み出してその読み出した軌跡データに応じてゴルフ場の地図上に移動軌跡を重畳するようにした程度のことは容易に想到しうる程度のものである。
　また、軌跡データが複数のゴルフカートの各々に対応している構成や、ゴルフ場の地図上にゴルフカートの各々の移動軌跡を重畳した映像を共通の表示部に表示するという構成は、複数のゴルフカートの現在地を検出して前記ゴルフカートの各々の現在地を示す現在地データを生成するという相違点１に係る構成と、ゴルフカートの軌跡データとして現在地データをメモリに順次書き込む書込手段を有し、前記メモリから前記軌跡データを順次読み出してその読み出した軌跡データに応じてゴルフ場の地図上に移動軌跡を重畳するという構成を採用することにより必然的に導き出せる構成であるから、引用例１発明において、複数のゴルフカートの各々に対応した軌跡データとして現在地データをメモリに順次書き込む書込手段と、前記メモリから前記軌跡データを順次読み出してその読み出した軌跡データに応じてゴルフ場の地図上にゴルフカートの各々の移動軌跡を重畳した映像を共通の表示部に表示するようにした程度のことは容易に想到しうる程度のものである。
　
　そして、このように構成されたもの全体を見ても、その作用効果は、各引用例に記載されたものから予測しうる程度のものにすぎない。
　
　なお、審判請求人は、平成１３年５月１５日付けの審判請求書の請求の理由を補正した手続補正書において、「引用例１は、・・・複数のゴルフカートの走行軌跡を重畳して共通の表示部に表示させる必要はないしそのような示唆もない。・・・特開昭６４−９３８５は、自車及び他車の位置情報を表示することを開示しているだけで、移動軌跡を重畳して表示するものではない。」（第２頁末行〜第３頁１７行）と主張しているが、先に検討したように、引用例２に記載されている技術から、複数のゴルフカートの現在地を検出して前記ゴルフカートの各々の現在地を示す現在地データを生成するようにした程度のことは容易に想到しうる程度のものであり、引用例３に記載されている技術から、ゴルフカートの軌跡データとして現在地データをメモリに順次書き込む書込手段を有し、前記メモリから前記軌跡データを順次読み出してその読み出した軌跡データに応じてゴルフ場の地図上に移動軌跡を重畳するようにした程度のことは容易に想到しうる程度のものであるので、複数のゴルフカートの走行軌跡を重畳して共通の表示部に表示させる程度のことは容易に想到しうる程度のものである。
　したがって、この主張を採用することは出来ない。
　
４．むすび
　以上のとおりであるから、本願発明は、上記引用例１ないし３に記載された発明に基づいて当業者が容易に発明をすることができたものであるので、特許法第２９条第２項の規定により特許を受けることができない。
　よって、結論のとおり審決する。